(57)【特許請求の範囲】
【請求項１】
テレビ放送を受信する受信部と、
前記受信部が受信したテレビ放送を録画する録画部と、
前記録画部が録画を開始する前に、電波塔の位置と自身の位置とから前記受信部の受信感度を検出する検出部と、
前記検出部が検出した受信感度が、所定の閾値よりも小さいかを判定する判定部と、
前記検出部が検出した受信感度が、前記閾値よりも小さいと前記判定部が判定した場合には、前記録画部が録画を開始する前に前記受信感度に関する情報を報知する報知部と、
有する
ことを特徴とする携帯録画装置。
【請求項２】
前記報知部は、前記受信感度に関する情報を画像として表示することを特徴とする請求項１に記載の携帯録画装置。
【請求項３】
さらに、検出した受信感度よりも大きい受信感度の位置を表示するナビゲーション部を有することを特徴とする請求項１または２に記載の携帯録画装置。
【請求項４】
録画時の電波塔と自身との間の位置の天候データを取得する天候情報取得部を有し、
前記判定部は、取得した天候データに基づいて、録画時の受信感度を推定して判定を行うことを特徴とする請求項１から３のいずれか１項に記載の携帯録画装置。
【請求項５】
さらに、各部の動作を制御する制御部を有し、
前記制御部は、録画開始の一定時間前まで前記判定部による判定と前記報知部による報知を繰り返し、その後は報知しないことを特徴とする請求項１から４のいずれか１項に記載の携帯録画装置。
【請求項６】
さらに、録画した放送の録画データまたは録画中のデータの欠損部分を検知し、検知した結果に基づいて録画状況を表示させる録画結果表示部を有することを特徴とする請求項１から５のいずれか１項に記載の携帯録画装置。
【請求項７】
テレビ放送の予約録画の指示を検出したら、電波塔の位置と自身の位置とから電波の受信感度を検出する感度検出ステップと、
検出した受信感度が、所定の閾値よりも小さいかを判定する判定ステップと、
前記閾値よりも小さいと判定した場合に、前記受信感度に関する情報を報知する報知ステップと、を有することを特徴とする録画環境通知方法。
【発明の詳細な説明】
【技術分野】
【０００１】
本発明は、テレビ番組を録画する携帯録画装置及び録画状態を通知する録画環境通知方法に関する。
【背景技術】
【０００２】
近年、携帯電話機、携帯テレビ等には、テレビ番組を録画する録画機能を有する装置がある。また、特許文献１には、テレビジョン放送波の受信状況を数値によって表示させ、受信状況値が時間の経過と共に変化する様子をユーザに視覚的に把握させることができる受信状況表示装置が記載されている。
【先行技術文献】
【特許文献】
【０００３】
【特許文献１】特開２００７−２８８５１５号公報
【発明の概要】
【発明が解決しようとする課題】
【０００４】
ここで、携帯電話機、携帯テレビ等の携帯録画装置は、移動しながら視聴、録画を行うため、テレビ放送の電波を受信する位置が一定とはならない。また、テレビ放送の電波は、受信する位置によって強度が変化し受信感度が悪くなる位置もある。このため、受信感度が悪い位置で録画を行うと、画質が劣化したテレビ放送を録画することになる。また、受信感度が極端に悪い状態では、録画を行っても視聴することができない場合がある。
【０００５】
本発明は、上記に鑑みてなされたものであって、より適切な状態でテレビ番組を録画及び／または視聴することができる携帯録画装置及び録画環境通知方法を提供することを目的とする。
【課題を解決するための手段】
【０００６】
上述した課題を解決し、目的を達成するために、本発明は、テレビ放送を受信する受信部と、前記受信部が受信したテレビ放送を録画する録画部と、前記録画部が録画を開始する前に、前記受信部の受信感度を検出する検出部と、前記検出部が検出した受信感度が、所定の閾値よりも小さいかを判定する判定部と、前記検出部が検出した受信感度が、前記閾値よりも小さいと前記判定部が判定した場合には、前記録画部が録画を開始する前に前記受信感度に関する情報を報知する報知部と、を有することを特徴とする。
【０００７】
ここで、前記報知部は、前記受信感度に関する情報を画像として表示することが好ましい。
【０００８】
さらに、検出した受信感度よりも大きい受信感度の位置を表示するナビゲーション部を有することが好ましい。
【０００９】
また、録画時の天候データを取得する天候情報取得部を有し、前記判定部は、取得した天候データに基づいて、録画時の受信感度を推定して判定を行うことが好ましい。
【００１０】
さらに、各部の動作を制御する制御部を有し、前記制御部は、録画開始の一定時間前まで前記判定部による判定と前記報知部による報知を繰り返し、その後は報知しないことが好ましい。
【００１１】
さらに、録画した放送の録画データまたは録画中のデータの欠損部分を検知し、検知した結果に基づいて録画状況を表示させる録画結果表示部を有することが好ましい。
【００１２】
また、テレビ放送を受信する受信部と、前記受信部が受信したテレビ放送を録画する録画部と、録画した放送の録画データまたは録画中のデータの欠損部分を検知し、検知した結果に基づいて録画状況を表示させる録画結果表示部と、を有することが好ましい。
【００１３】
また、前記録画結果表示部は、前記欠損部分を、画面の一部の表示が適切に表示できない欠損部分または、画面を表示することができない欠損部分として検知し、それぞれの欠損部分を表示することが好ましい。
【００１４】
さらに、他の通信録画機と通信する通信部と、各部の動作を制御する制御部と、を有し、前記制御部は、受信感度が改善されない場合は、前記通信部を介して前記他の通信録画機と通信し、該他の通信録画機で録画させることが好ましい。
【００１５】
上述した課題を解決し、目的を達成するために、本発明は、テレビ放送を受信する受信部と、前記受信部が受信したテレビ放送を録画する録画部と、前記録画部が録画を再生する前、前記録画されたデータの有効データの割合を判定する判定部と、前記判定部で判定した有効割合の情報を報知する報知部と、を有することを特徴とする。
【００１６】
上述した課題を解決し、目的を達成するために、本発明は、テレビ放送の予約録画の指示を検出したら、電波の受信感度を検出する感度検出ステップと、検出した受信感度が、所定の閾値よりも小さいかを判定する判定ステップと、前記閾値よりも小さいと判定した場合に、前記受信感度に関する情報を報知する報知ステップと、を有することを特徴とする。
【発明の効果】
【００１７】
本発明にかかる携帯録画装置及び録画環境通知方法は、テレビ放送の受信中であっても、簡単な操作で文字を入力、表示させることができ、操作性を高くすることができるという効果を奏する。
【図面の簡単な説明】
【００１８】
【図１】図１は、本発明の文字入力装置の一例である携帯電子機器の一実施形態の概略構成を示す正面図である。
【図２】図２は、図１に示す携帯電子機器の側面図である。
【図３】図３は、図１に示す携帯電子機器の機能の概略構成を示すブロック図である。
【図４−１】図４−１は、携帯電子機器の処理動作の一例を示すフロー図である。
【図４−２】図４−２は、携帯電子機器の処理動作の一例を示すフロー図である。
【図５−１】図５−１は、携帯電子機器の動作を説明するための説明図である。
【図５−２】図５−２は、携帯電子機器の動作を説明するための説明図である。
【図６】図６は、携帯電子機器の処理動作の他の例を示すフロー図である。
【図７】図７は、携帯電子機器の動作を説明するための説明図である。
【図８】図８は、携帯電子機器の処理動作の他の例を示すフロー図である。
【図９】図９は、携帯電子機器の動作を説明するための説明図である。
【発明を実施するための形態】
【００１９】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、文字入力装置の一例である携帯電子機器として携帯電話機を例として説明するが、本発明の適用対象は携帯電話機に限定されるものではなく、例えば、ＰＨＳ（Personal Handyphone System）、ＰＤＡ、ポータブルナビゲーション装置、ゲーム機等に対しても本発明は適用できる。また、以下に示す実施形態では、放送波として、携帯電話・移動体端末向けの１セグメント部分受信サービス、いわゆるワンセグ放送を受信する場合として説明するが、放送波はこれに限定されない。放送波としては、例えば、１２セグメントの地上デジタル放送や、アナログ放送、デジタルラジオ放送の場合にも用いることができる。
【００２０】
図１は、本発明の文字入力装置の一例である携帯電子機器の一実施形態の概略構成を示す正面図である。図２は、図１に示す携帯電子機器の側面図である。まず、携帯電子機器の構成を説明する。携帯電子機器１は、無線通信機能を備えた携帯電話機である。携帯電子機器１は、筐体１Ｃが第１筐体１ＣＡと第２筐体１ＣＢとで開閉可能に構成された、折り畳み式の携帯電話機である。なお、図１、図２は、携帯電子機器１を開いた状態である。
【００２１】
第１筐体１ＣＡには、表示部として、図１に示すメインディスプレイ２Ｍが設けられる。メインディスプレイ２Ｍは、所定の画像として、携帯電子機器１が受信を待機している状態のときに待ち受け画像を表示したり、携帯電子機器１の操作を補助するために用いられるメニュー画像を表示したりする。また、図１に示すように、第１筐体１ＣＡには、携帯電子機器１の通話時に音声を発するレシーバ６が設けられている。また、第１筐体１ＣＡには、着信音や、音声を出力するスピーカ（図示省略）も設けられている。
【００２２】
第２筐体１ＣＢには、通話相手の電話番号や、メール作成時等に文字を入力するための操作キー３が複数設けられ、また、メインディスプレイ２Ｍに表示されるメニューの選択及び決定や画面のスクロール等を容易に実行するための方向及び決定キー４が設けられる。なお、操作キー３及び方向及び決定キー４は、携帯電子機器１の操作部２８（図３参照）を構成する。また、第２筐体１ＣＢには、携帯電子機器１の通話時に音声を受け取るマイク５が設けられる。また、第２筐体１ＣＢは、メインディスプレイ２Ｍの反対側の面にもサブディスプレイ（図示省略）が設けられている。
【００２３】
また、第１筐体１ＣＡと第２筐体１ＣＢとは、ヒンジ１８で連結されている。これによって、第１筐体１ＣＡ及び第２筐体１ＣＢは、ヒンジ１８を中心としてともに回動して、互いに遠ざかる方向及び互いに接近する方向（図２の矢印Ｒで示す方向）に回動できるように構成される。第１筐体１ＣＡと第２筐体１ＣＢとが互いに遠ざかる方向に回動すると携帯電子機器１が開き、第１筐体１ＣＡと第２筐体１ＣＢとが互いに接近する方向に回動すると携帯電子機器１が閉じる。
【００２４】
次に、携帯電子機器１の機能と制御部との関係を説明する。図３は、図１に示す携帯電子機器の機能の概略構成を示すブロック図である。図３に示すように携帯電子機器１は、主制御部２２と、記憶部２４と、通信部２６と、操作部２８と、入力データ取得部２９と、音声処理部３０と、表示部３２と、表示制御部３３と、ワンセグ受信部３６と、ＧＰＳ受信部３８とを有する。
【００２５】
主制御部２２は、携帯電子機器１の全体的な動作を統括的に制御する処理部、例えばＣＰＵ（Central Processing Unit）である。すなわち、携帯電子機器１の各種の処理が、操作部２８の操作や携帯電子機器１の記憶部２４に保存されるソフトウェアに応じて適切な手順で実行されるように、通信部２６、表示部３２、ワンセグ受信部３６等の動作を制御する。主制御部２２は、記憶部２４に保存されているプログラム（例えば、オペレーティングシステムプログラム、アプリケーションプログラム等）に基づいて処理を実行する。また、主制御部２２は、ワンセグ受信部３６の感度を検出する感度検出ソフトウェアと、ワンセグ受信部３６で受信するテレビ番組の状態を判定する判定ソフトウェアと、操作者等に状態を報知する報知ソフトウェアと、操作者を案内するナビゲーションソフトウェアと、所定の天候情報を取得する天候情報取得ソフトウェア等に基づいて各種処理も実行する。なお、各種処理については、後ほど説明する。
【００２６】
記憶部２４には、主制御部２２での処理に利用されるソフトウェアやデータが保存されている。具体的には、上述した各種ソフトウェアである感度検出タスク５２と、判定タスク５４と、報知タスク５６と、ナビゲーションタスク５８と、天候情報取得タスク６０とが記憶されている。記憶部２４には、さらに、ワンセグ受信部３６で受信したデータに基づいてテレビ放送を行うソフトウェアや、文字入力処理を行うソフトウェアや、メール等の情報の送受信を行うソフトウェアも保存されている。
【００２７】
通信部２６は、基地局によって割り当てられるチャネルを介し、基地局との間でＣＤＭＡ方式などによる無線信号回線を確立し、基地局との間で電話通信及び情報通信を行う。
【００２８】
操作部２８は、例えば、電源キー、通話キー、数字キー、文字キー、方向キー、決定キー、発信キーなど、各種の機能が割り当てられた操作キー３と、方向及び決定キー４とで構成され、これらのキーがユーザの操作により入力されると、その操作内容に対応する信号を発生させる。そして、発生した信号は、ユーザの指示として入力データ取得部２９へ入力される。
【００２９】
入力データ取得部２９は、操作部２８から発生した信号と、入力の設定に基づいて、制御信号を生成し、生成した制御信号を主制御部２２に入力する。また、入力データ取得部２９は、操作キーの押下を検出し、例えば、押下の回数に基づいて配列順番の文字の中で表示させる（選択する）文字を決定する。
【００３０】
音声処理部３０は、マイク５に入力される音声信号やレシーバ６から出力される音声信号の処理を実行する。
【００３１】
表示部３２は、液晶ディスプレイ（ＬＣＤ、Liquid Crystal Display）や、有機ＥＬ（Organic Electro−Luminescence）パネルなどで構成された表示パネル（上述したメインディスプレイ２Ｍ等）を備え、主制御部２２から表示制御部３３を介して供給される映像データに応じた映像、画像データに応じた画像を表示パネルに表示させる。なお、表示部３２は、第２筐体１ＣＢの裏面側、つまりメインディスプレイ２Ｍが配置されている面とは反対側の面にサブディスプレイを有する。
【００３２】
ワンセグ受信部（ワンセグチューナ）３６は、複数のチャンネルを有する地上デジタル放送、本実施形態では、ワンセグ放送の所定チャンネルの電波を受信するＴＶアンテナを有し、ＴＶアンテナで受信した受信信号を処理し、主制御部２２に送る。一例としては、ワンセグ受信部３６は、同調装置により、ＴＶアンテナで受信した受信信号に増幅、検波、周波数変換などの信号処理を行い、デジタル信号、本実施形態では、ＭＰＥＧ−２  ＴＳ（Transport Stream）に変換して主制御部２２に出力する。出力されたデジタル信号は、主制御部２２で駆動されるアプリケーションプログラムにより、処理され、表示部３２のディスプレイ２Ｍに表示されたり、記憶部２４に記憶されたりする。また、音声は、レシーバ６や、別途、設けられたスピーカから出力される。
【００３３】
ＧＰＳ受信部３８は、ＧＰＳ衛星から発信されるＧＰＳ信号を受信する受信部である。また、ＧＰＳ受信部３８は、受信したＧＳＰ信号から携帯電子機器１の緯度経度を算出し、算出した緯度経度の情報を主制御部２２に送る。
【００３４】
次に、記憶部２４に記憶されている感度検出タスク５２と、判定タスク５４と、報知タスク５６と、ナビゲーションタスク５８と、天候情報取得タスク６０について説明する。なお、各タスクは、主制御部２２により記憶部２４から読み出され、ソフトウェアとして実行されることで上記処理を行う。なお、以下で説明するタスクの機能は、ソフトウェアとして実行される機能である。
【００３５】
感度検出タスク５２（正確には、感度検出タスク５２を読み出して実行される感度検出ソフトウェア）は、ワンセグ受信部３６で受信されるテレビ放送の電波の感度を検出する。つまり、テレビ放送として送られる電波の情報をどの程度受信しているかを検出する。ここで、受信感度は、受信した電波を複合化して映像化し映像化可能な領域に基づいて算出したり、受信した電波の信号の欠損率から算出したり、Ｃ／Ｎ値に基づいて算出したりすることで検出する。
【００３６】
判定タスク５４（正確には、判定タスク５４を読み出して実行される判定ソフトウェア）は、感度検出タスク５２（正確には、感度検出ソフトウェア）で検出した受信感度に基づいて、ワンセグ受信部３６で受信したテレビ放送の録画の状態を判定する。なお、判定タスク５４は、予約録画が設定された場合は、感度検出タスク５２で検出した受信感度、さらには、設定に応じて、天候情報取得タスク６０によりテレビ放送を録画した場合の録画状態を推定し、推定結果に基づいて判定を行う。
【００３７】
報知タスク５６（正確には、報知タスク５６を読み出して実行される報知ソフトウェア）は、判定タスク５４（正確には、判定ソフトウェア）で判定された結果を、操作者に報知する。なお、判定タスク５４は、設定によって、画像表示、音、光、振動等、種々の方法で操作者に判定結果を報知する。なお、画像は、表示部３２に表示し、音声は、レシーバ６やスピーカ（図示省略）から出力させ、光は、表示部３２や、ＬＥＤ（図示省略）等から出力させ、振動は、バイブ機能に利用される加振部により出力させるようにすればよい。
【００３８】
ナビゲーションタスク５８（正確には、ナビゲーションタスク５８を読み出して実行されるナビゲーションソフトウェア）は、携帯電子機器１の使用時に、ＧＰＳ受信部３８で受信した位置情報と、感度検出タスク５２（正確には、感度検出ソフトウェア）で検出した受信感度の情報とから、受信感度が一定以上（つまり一定よりも大きい受信感度）となる位置情報を検出して記憶部２４に記憶させる。さらに、ナビゲーションタスク５８は、必要に応じて、記憶部２４に記憶させた位置情報と、ＧＰＳ受信部３８で受信した位置情報とに基づいて、受信感度がより向上する位置を検出し、操作者を、該受信感度が向上する位置に案内する案内情報を出力させる。なお、ナビゲーションタスク５８は、案内情報を音声や、画面表示で出力させる。また、案内情報としては、目的地の位置を出力するようにしても、移動方向を出力するようにしてもよい。
【００３９】
天候情報取得タスク６０（正確には、天候情報取得タスク６０を読み出して実行される天候情報取得ソフトウェア）は、通信部２６を介して、外部情報機関から、天候の情報を取得する。なお、この時、天候情報取得タスク６０は、ＧＰＳ受信部３８から取得した位置情報に基づいて位置を特定し、ワンセグ放送の録画の予約時間から時間を特定し、該当する位置と時間の天気情報を取得する。なお、取得した情報は判定タスク５４に送られる。記憶部２４に記憶され、主制御部２２で処理される各タスク（ソフトウェア）は、以上のような機能である。
【００４０】
次に、携帯電子機器１の動作、操作部２８に入力される操作と、主制御部２２における処理について説明する。ここで、図４−１及び図４−２は、携帯電子機器の処理動作の一例を示すフロー図であり、図５−１及び図５−２は、携帯電子機器の動作を説明するための説明図である。なお、図４−１及び図４−２に示すフロー図は、１つの処理工程を２つの図に分割して示している。また、図４−１及び図４−２に示すフロー図の処理を行う場合、主制御部２２は、必要に応じて記憶部２４から感度検出タスク５２、判定タスク５４、報知タスク５６、ナビゲーションタスク５８を読み出し、各ソフトウェアを起動させる。
【００４１】
まず、操作者により録画、または、予約録画の指示が入力されると、主制御部２２は、ステップＳ１２として、ワンセグの感度を検出する。具体的には、主制御部２２は、感度検出タスク５２を読み出し起動したソフトウェアにより処理を行い、ワンセグ受信部３６が受信した信号に基づいて受信感度を算出する。
【００４２】
主制御部２２は、ステップＳ１２で受信感度を検出したら、ステップＳ１４として、検出したワンセグの受信感度レベルを３段階で判定する。具体的には、主制御部２２は、判定タスク５４を読み出し起動したソフトウェアにより処理を行い、ステップＳ１２で検出した受信感度から受信感度レベルを判定する。ここで、受信感度レベルは、テレビ放送の電波をほとんど受信できず、画像が止まったり、表示できなかったりする状態をレベル１とし、画像にノイズが入るが画像が止まったりしない状態をレベル２とし、テレビ放送の電波を問題なく受信することができ、基本的にノイズが入ることなく画像を表示することができる状態をレベル３と設定した。なお、具体的な各レベルの閾値は、実験等に基づいて予め設定されている。つまり、主制御部２２は、ステップＳ１２で検出した受信感度と各レベルの閾値とを比較して、受信感度レベルを算出することができる。
【００４３】
主制御部２２は、ステップＳ１４でレベルを算出したら、ステップＳ１６として、検出した感度レベルがレベル３であるかを判定する。つまり、主制御部２２は、ステップＳ１６で、受信感度が問題なくテレビ放送を録画できるレベルであるかを判定する。
【００４４】
主制御部２２は、ステップＳ１６で感度レベルがレベル３ではない（Ｎｏ）、つまり、レベル１またはレベル２であると判定したら、ステップＳ１８として、報知ソフトを用いて感度を通知する。例えば、感度レベルがレベル１であることを、画面表示として報知する場合は、図５−１に示すように、メインディスプレイ２Ｍに「受信状態  レベル１  端末を移動してください」と表示させたり、図５−２に示すように、サブディスプレイ２Ｓに「受信状態  レベル１  端末を移動してください」と表示させたりする。なお、筐体１Ｃが開状態の場合は、メインディスプレイ２Ｍにメッセージを表示させ、筐体１Ｃが閉状態の場合は、サブディスプレイ２Ｓにメッセージを表示させればよい。
【００４５】
主制御部２２は、ステップＳ１８で感度の通知を行ったら、ステップＳ２０として、ナビゲーションソフト５８を起動させる。つまり、主制御部２２は、記憶部２４からナビゲーションタスクを読み出し、ナビゲーションソフトを起動させる。主制御部２２は、ステップＳ２０でナビゲーションソフトを起動させたら、ナビゲーションソフトにより、より受信感度が高くなる位置への案内を開始する。具体的には、主制御部２２は、記憶部２４から蓄積させた位置と受信感度との関係を読み出し、さらに、ＧＰＳ受信部３８により現在の位置を検出し、現在の位置と、位置と受信感度との関係とから、現在の位置よりも受信感度の高くなる位置を検出し、検出した位置への案内を開始する。
【００４６】
主制御部２２は、ステップＳ２０でナビゲーションソフトを起動し、案内を開始したら、ステップＳ２２として、感度を検出し、報知ソフトを用いて感度を通知する。つまり、主制御部２２は、ナビゲーションソフトにより案内をしている間も、感度検出ソフト、判定ソフトにより受信感度レベルを検出し、検出した受信感度レベルをステップＳ１８と同じ様に報知する。
【００４７】
主制御部２２は、ステップＳ２２で感度を報知したら、ステップＳ２４としてユーザ（操作者）判定がＯＫであるかを判定する。つまり、操作者により現状の感度で録画を行うという決定が入力されたかを判定する。なお、録画を行うという決定が、ユーザ判定ＯＫとなる。主制御部２２は、ステップＳ２４でユーザ判定がＯＫである（Ｙｅｓ）と判定されたら、ステップＳ３０に進む。なお、主制御部２２は、ユーザ判定がＯＫとされた場合は、ナビゲーションソフトの駆動を停止し、案内を終了する。
【００４８】
また、主制御部２２は、ステップＳ２４でユーザ判定がＯＫではない（Ｎｏ）と判定されたら、ステップＳ２６として、録画開始５分前であるかを判定する。つまり、主制御部２２は、録画開始までの時間が５分より短いかを判定する。主制御部２２は、ステップＳ２６で録画開始５分前ではない（Ｎｏ）、つまり、録画開始まで、５分以上あると判定したら、ステップＳ２２に進み、ステップＳ２２とステップＳ２４の処理を繰り返す。また、主制御部２２は、ステップＳ２４で録画開始５分前である（Ｙｅｓ）、つまり、録画開始までの時間が５分より短いと判定したら、ステップＳ４４に進む。
【００４９】
次に、主制御部２２は、ステップＳ１６で感度レベルがレベル３である（Ｙｅｓ）と判定したら、また、ステップＳ２４でユーザ判定がＯＫと判定されたら、ステップＳ３０として、録画開始５分前に再度ワンセグの感度を検出する。つまり、主制御部２２は、録画開始５分前となったら、ステップＳ１２と同様にワンセグの感度を検出する。
【００５０】
主制御部２２は、ステップＳ３０で受信感度を検出したら、ステップＳ３２としてワンセグの受信感度レベルを３段階で判定する。なお、判定方法は、ステップＳ１６と同様であるので詳細な説明は省略する。主制御部２２は、ステップＳ３４で感度レベルがレベル３である（Ｙｅｓ）と判定したらステップＳ４９に進む。
【００５１】
また、主制御部２２は、ステップＳ３４で感度レベルがレベル３ではない（Ｎｏ）と判定したら、ステップＳ３６として、報知ソフトを用いて感度を通知する。なお、報知方法は、ステップＳ１８と同様の報知方法を用いることができる。主制御部２２は、ステップＳ３６で感度を通知したら、ステップＳ３８として、ユーザ操作があるかを判定する。なお、ユーザ操作は、任意の操作としてもよく、予め設定された操作としてもよい。また、画面に端末を移動させるか否かを問い合わせるメッセージを表示させ、移動させる旨の決定の入力があった場合は、ユーザ操作があったと判定してもよい。
【００５２】
主制御部２２は、ステップＳ３８でユーザ操作がない（Ｎｏ）と判定した場合は、感度改善の意思はないもしくはユーザがその場にいないと判定し、ステップＳ４０として、録画開始１分前であるかを判定する。つまり、録画開始までの時間が１分より短いかを判定する。主制御部２２は、ステップＳ４０で録画開始１分前ではない（Ｎｏ）、つまり録画開始までの時間が１分以上あると判定したら、ステップＳ３８に進み、ユーザ操作があるかを判定する。つまり、主制御部２２は、録画開始１分前まで、ユーザ操作があるかの判定を繰り返す。また、主制御部２２は、ステップＳ４０で録画開始１分前である（Ｙｅｓ）と判定したら、ステップＳ４９に進む。
【００５３】
また、主制御部２２は、ステップＳ３８でユーザ操作あり（Ｙｅｓ）と判定したら、受信感度レベルの改善の意思ありと判定して、ステップＳ４２として、ナビゲーションソフトを起動させ、案内を開始する。
【００５４】
主制御部２２は、ステップＳ４２でナビゲーションソフトを起動させたら、または、ステップＳ２６でＹｅｓと判定したら、ステップＳ４４として、感度を検出し、報知ソフトを用いて感度を通知する。なお、報知方法は、ステップＳ２２と同様の方法である。
【００５５】
主制御部２２は、ステップＳ４４で感度を報知したら、ステップＳ４６としてユーザ（操作者）判定がＯＫであるかを判定する。主制御部２２は、ステップＳ４６でユーザ判定がＯＫである（Ｙｅｓ）と判定されたら、ステップＳ４９に進む。なお、主制御部２２は、ユーザ判定がＯＫとされた場合は、ナビゲーションソフトの駆動を停止し、案内を終了する。
【００５６】
また、主制御部２２は、ステップＳ４６でユーザ判定がＯＫではない（Ｎｏ）と判定されたら、ステップＳ４８として、録画開始１分前であるかを判定する。主制御部２２は、ステップＳ４８で録画開始１分前ではない（Ｎｏ）、つまり、録画開始まで、１分以上あると判定したら、ステップＳ４４に進み、ステップＳ４４とステップＳ４６の処理を繰り返す。また、主制御部２２は、ステップＳ４８で録画開始１分前である（Ｙｅｓ）、つまり、録画開始までの時間が１分より短いと判定したら、ステップＳ４９に進む。
【００５７】
主制御部２２は、ステップＳ３４、ステップＳ４０、ステップＳ４６またはステップＳ４８でＹｅｓと判定されたら、ステップＳ４９として予約録画を実行する。つまり、主制御部２２は、予約録画の時間となったら、ワンセグ受信部３６で録画予約されているチャンネルの番組のテレビ放送を受信し、受信したテレビ放送の情報を記憶部２４に記憶させる。主制御部２２は、ステップＳ４９で予約録画を実行したら、処理を終了する。
【００５８】
このように、録画予約時に受信感度レベルを検出し、操作者に通知することで、操作者は、予約録画した番組が、良好に録画できる状況か否かを知ることができ、期待した品質で録画ができていない、画像が映らない状態で録画されている等の事態の発生を抑制することができる。また、操作者は、録画開始前に、より受信感度レベルがよい位置（より大きい受信感度となる位置）を探すか否かの判断を行うことができ、より受信感度レベルがよい位置を見つけることでよりよい品質で予約番組を録画することができる。また、録画するか否かの判断もできるため、受信感度レベルの問題で視聴できない番組を録画しないようにすることができ、電力を節約することができる。また、操作者が事前に受信感度レベルを知ることができることで、携帯電子機器１で録画できない場合は、家の録画機器で録画する等、代替手段で録画を実行することができ、録画漏れを防止することができる。
【００５９】
また、ナビゲーションタスク（ナビゲーションソフト）により、より受信感度が良好な位置を案内することで、操作者は、受信感度が良好な位置を短時間で発見することができ、操作者は少ない労力で、より良好な受信感度で予約番組を録画することができる。
【００６０】
ここで、上記実施形態では、画面表示により受信感度レベルを報知したが、報知方法は特に限定されず、上述したように音声、光、振動等、種々の通知方法を用いることができる。例えば、ＬＥＤ等の発光部で発光させる光の色や、光量、発光方法（例えば点滅）を受信感度レベルに応じて変化させるようにすればよい。また、振動により受信感度レベルを通知する場合も、振動の強度や、振動パターンを受信感度レベルに応じて変化させるようをすればよい。
【００６１】
また、受信感度レベルがレベル３（つまり良好）ではない場合は発光させ、レベル３になったら発光させないようにしてもよく、同様に、受信感度レベルがレベル３ではない場合は加振部により筐体を振動させ、レベル３になったら振動させないようにしてもよい。このように受信感度レベルが良好になるまで発光、振動させるように設定することで、発光が停止、または振動が収まったら、受信感度レベルが良好であると判定することができる。このように、光、振動、音等のＯＮ／ＯＦＦで良好であるか否かを通知することで、操作者は、受信感度レベルが良好であるか否かを直感的に、また簡単に理解することができる。なお、主制御部２２は、報知方法は、種々の方法の中から、予め設定された方法で通知を行うようにすればよい。
【００６２】
また、上記実施形態では、受信感度レベルを３段階で設定したが、受信感度レベルは、何段階で設定してもよい。また、各レベルの設定値も種々の設定とすることができる。例えば、受信感度レベル３は、一定範囲で電波状態が変化してもノイズが発生しない程度の余裕を持たせた感度としてもよい。
【００６３】
また、主制御部２２は、所定時間時、例えば、予約時間の１分前、５分前、また、予約入力時から一定時間経過しても、受信感度レベル、適切なレベル（本実施形態ではレベル３）とならない場合は、通信部２６を介して、他の通信録画機器、例えば、他の携帯電子機器、家庭用録画機、サーバ等と通信を行い、録画入力された番組を他の通信録画機器で録画させるようにしてもよい。これにより、携帯通信機器で、適切な録画が困難な場合は、他の通信録画機器で適切に録画させることが可能となり、操作者は、予約録画した番組を適切に、視聴することが可能となる。
【００６４】
ここで、上記実施形態では、受信感度を現状の受信感度のみから算出したが、録画時の天候情報を加味して、受信感度を算出するようにしてもよい。以下、図６及び図７を用いて説明する。図６は、携帯電子機器の処理動作の他の例を示すフロー図であり、図７は、携帯電子機器の動作を説明するための説明図である。なお、図６に示すフロー図は、感度検出タスク５２と天候情報取得タスク６０とにより実行される。
【００６５】
まず、上記実施形態のように、録画指示が入力され、ステップＳ１２等、受信感度を検出する処理となったら、主制御部２２は、ステップＳ５０として、ＧＰＳ及びＷＥＢからユーザ及び電波塔の位置情報を取得する。つまり、ＧＰＳ受信部３８により受信した位置情報に基づいて、ユーザ（操作者）つまり携帯電子機器１の現在の位置を検出する。また、通信部２６を用いＷＥＢ上のデータベース等から電波塔の位置情報を検出する。なお、取得する電波塔の位置情報は、携帯電子機器１の現在の位置における、ワンセグ受信部３６が受信する録画チャンネルの電波を発信する電波塔の位置である。
【００６６】
主制御部２２は、ステップＳ５０でユーザと電波塔の位置情報を検出したら、ステップＳ５２として、ユーザ及び電波塔付近の現在と予約録画時間帯の天候情報を取得する。具体的には、主制御部２２は、通信部２６を用いＷＥＢ上のサイト、データ発信源と通信を行い、ユーザ付近及び電波塔付近の天候情報を取得する。また、主制御部２２は、天候情報として現在の天候情報と予約録画時間帯の天候情報の両方を取得する。
【００６７】
主制御部２２は、ステップＳ５２でユーザ及び電波塔付近の予約録画時間帯の天候情報を取得したら、ステップＳ５４として、ユーザと電波塔とを結んだ直線上の現在と予約録画時間帯の天候情報を取得する。具体的には、主制御部２２は、通信部２６を用いＷＥＢ上のサイト、データ発信源と通信を行い、ユーザと電波塔とを直線で結んだ領域、つまり、ユーザと電波塔との間の天候情報を取得する。また、主制御部２２は、天候情報として、現在の天候情報と予約録画時間帯の天候情報の両方を取得する。
【００６８】
主制御部２２は、ステップＳ５４で天候情報を取得したら、ステップＳ５６として、受信感度を算出する。つまり、ステップＳ５２、ステップＳ５４で取得した現在と予約録画時間帯の天候情報及び感度検出タスク５２により検出した受信感度に基づいて、予約録画時間帯における受信感度を算出する。例えば、現在と予約録画時間帯の天候に変化がない場合は、感度検出タスク５２により検出した受信感度をそのまま受信感度として算出する。また、天候が悪化する場合、つまり、天候が晴れ／曇りから雨／雪、晴れ／曇りから雷等に変化する場合は、感度検出タスク５２により検出した受信感度を所定割合低下させて、受信感度を算出する。さらに、天候が回復する場合、つまり、天候が雨／雪から晴れ／曇り、雷から雨／雪等に変化する場合は、感度検出タスク５２により検出した受信感度を所定割合向上させて、受信感度を算出する。ここで、天候に対する受信感度は、例えば、晴れ／曇りの場合が最もよく、雨／雪、雷の順で悪化する。
【００６９】
主制御部２２は、ステップＳ５６で受信感度を算出したら、処理を終了する。なお、受信感度の検出処理は、終了するが、主制御部２２は、ステップＳ５６で算出した受信感度に基づいて、上述した各種処理を行う。ここで、天候情報も加味して受信感度レベルを算出した場合は、図７に示すように、受信（感度）レベルの予測値として受信レベルを表示させるようにする。また、その際、雨／雪、雷等の受信レベルが低下する天候の場合は、天候によって、受信感度レベルが変化する可能性がある点を表示させることが好ましい。
【００７０】
このように、天候情報を取得し、その天候情報の変化に基づいて受信感度レベルを算出することで、予約録画時の受信感度をより正確に算出することができる。これにより、より適切にテレビ放送を録画することが可能となり、無駄な録画等が発生することを抑制することができる。
【００７１】
なお、上記実施形態では、天候を晴れ／曇り、雨／雪、雷の３つに分類させたが、本発明はこれに限定されず、種々の設定とすることができる。また、ユーザ、電波塔付近の天候、また、ユーザと電波塔との間の天候の状態、例えば雲の量、質、種類、雨が降っている領域の大きさ等も加味して、受信感度を算出することが好ましい。これにより、より正確な受信感度を算出し、予測することができる。
【００７２】
なお、上記実施形態では、より正確に予約録画時の感度レベルを予測できるため、感度検出タスク５２で検出した受信感度に基づいて感度レベルを算出するようにしたが、つまり、図４−１のステップＳ１２等の受信感度を算出するために天候情報を利用したが、本発明はこれに限定されない。
【００７３】
例えば、受信感度を検出せずに、天候情報のみで、予約録画時の受信感度レベルを予測するようにしてもよい。つまり、録画予約時の天候情報を取得し、その天候情報が、晴れ／曇り、雨／雪、雷のいずれかで受信感度レベルを予測するようにしてもよい。より具体的には、晴れ／曇りのときは感度良好と判定し、雨／雪のときは感度悪化の可能性ありと判定し、雷の場合は、感度悪化の可能性大と判定し、その旨を操作者に報知する。このように、予約録画時の天候情報のみに基づいて判定した場合でも、適切に録画できるかを操作者が知ることができる。また、天候の変化に基づいて判定することで、現在は良好にテレビ放送を受信できている場合でも予約録画時には、適切に受信できない状態になる可能性の有無を知ることができる。これにより、必要に応じて、電波の最もよい位置に携帯電子機器１を移動させたり、別の録画機器で番組の録画を試みたりすることができる。
【００７４】
次に、図８及び図９を用いて、携帯電子機器１の動作の他の例を説明する。ここで、図８及び図９に示す動作は、携帯電子機器１で録画した番組を再生させる際の動作の一例である。ここで、図８は、携帯電子機器の処理動作の他の例を示すフロー図であり、図９は、携帯電子機器の動作を説明するための説明図である。なお、図８に示すフロー図の制御は、上述した判定タスクと、報知タスクにより実行することができる。
【００７５】
まず、操作者により再生する録画番組が選択されたら、主制御部２２は、ステップＳ６０として、再生するデータの先頭から１分間のデータ（パケット）を取り込む。つまり、再生する録画番組の最初の１分間のデータを記憶部２４から取り出す。
【００７６】
主制御部２２は、ステップＳ６０で録画番組のデータを取り出したら、ステップＳ６２として、取り込んだデータをサーチして、連続したパケットエラーやドロップの割合を検出する。つまり、主制御部２２は、１分間分のデータを解析し、記憶しているデータのエラーや、データの欠落が発生している割合を検出し、１分間分の動画の中で再生可能なデータの割合を検出する。また、再生可能であってもブロックノイズ等のノイズが発生する割合も検出する。主制御部２２は、エラー等の割合を検出することで、有効データの割合を検出する。なお、有効データとは、問題なく再生が可能な動画、つまり、ブロックノイズが発生する動画や、再生不可ではない動画のデータである。また、有効データの判定方法は特に限定されず、上述と同様に録画する際に同時に取得したＣ／Ｎ値から判定するようにしてもよい。
【００７７】
主制御部２２は、ステップＳ６２でエラー等の割合を検出したら、ステップＳ６４として、有効データが９５％〜１００％であるかを判定する。つまり、主制御部２２は、１分間分の動画のデータのうち有効データの割合が９５％より大きく１００％以下であるかを判定する。なお、有効データが９５％〜１００％である場合は、録画データを問題なく再生できる。主制御部２２は、ステップＳ６４で有効データの割合が９５％〜１００％である（Ｙｅｓ）と判定したら、ステップＳ６６として、サーチした１分間は「正常再生可能」区間と判定し、ステップＳ７４に進む。
【００７８】
主制御部２２は、ステップＳ６４で有効データの割合が９５％〜１００％ではない（Ｎｏ）と判定したら、ステップＳ６８として、有効データが７０％〜９５％であるかを判定する。つまり、主制御部２２は、１分間分の動画のデータのうち有効データの割合が７０％より大きく９５％以下であるかを判定する。なお、有効データが７０％〜９５％である場合は、時々ノイズが入ったり画像が飛んだりするが、画像が止まるほどではない状態で再生することができる。また、有効データが７０％以下である場合は、ほとんど再生できなかったり、画像が止まったりする。主制御部２２は、ステップＳ６８で有効データの割合が７０％〜９５％である（Ｙｅｓ）と判定したら、ステップＳ７０として、サーチした１分間は「ノイズが入る」区間と判定し、ステップＳ７４に進む。また、主制御部２２は、ステップＳ６８で有効データの割合が７０％〜９５％はない（Ｎｏ）つまり、有効データの割合が７０％以下であると判定したら、ステップＳ７２として、サーチした１分間は「正常再生不可」区間と判定し、ステップＳ７４に進む。このように主制御部２２は、ステップＳ６４からステップＳ７２で、有効データの割合に基づいてサーチした１分間のデータが、「正常再生可能」、「ノイズが入る」、「正常再生不可」の３つに分類する。
【００７９】
次に、主制御部２２は、ステップＳ６６、ステップＳ７０、ステップＳ７２の処置が終了したら、ステップＳ７４として、全データの取り込みが終了したかを判定する。つまり、選択された番組の再生データの全データの取り込みが終了したかを判定する。
【００８０】
主制御部２２は、ステップＳ７４で取り込みが終了していない（Ｎｏ）と判定したら、ステップＳ７６として、次の１分間のデータを取り込みステップＳ６２に進む。つまり、主制御部２２は、有効データの割合に基づいて３つの分類のいずれかになるかを判定した１分間のデータの次の１分間のデータを取り込んで、ステップＳ６２からステップＳ７４の処理を行う。主制御部２２は、全データの取り込みが終了するまで、上記操作を繰り返し、再生する録画データの全データをそれぞれの有効データの割合に応じて、「正常再生可能」、「ノイズが入る」、「正常再生不可」の３つに分類する。
【００８１】
主制御部２２は、ステップＳ７４で全データの取り込みが終了した（Ｙｅｓ）と判定したら、ステップＳ７８として、タイムバーとして画面に表示して処理を終了する。
【００８２】
ここで、図９を用いて、ステップＳ７８で表示される画面の一例を説明する。図９に示すように、表示部３２のメインディスプレイ２Ｍの画面には、録画番組１０２と、タイムバー１０４と、凡例１０６とが表示されている。録画番組１０２は、操作者により再生すると選択された録画番組を表示している欄である。タイムバー１０４は、再生する録画データの全データの時間軸を表示しており、各時間帯の有効データの割合に基づいて、「正常再生可能」、「ノイズが入る」、「正常再生不可」の３つの分類のいずれに分類したかを示している。つまり、タイムバー１０４は、一方の端部が録画番組の最初の１分、他方の端部が録画番組の最後の１分となっており、各時間のデータが、３つの分類のいずれであるかを示している。なお、３つの分類は、色、ドット、ハッチング等を換えて表示されている。凡例１０６は、「正常再生可能」、「ノイズが入る」、「正常再生不可」がタイムバー１０４でどのように表示されているかを示すように、各分類と、タイムバー１０４での表示方法とを対応付けて表示している。このように凡例１０６により、タイムバー１０４の各時間帯が３つの分類のいずれの分類であるかを容易に確認することができる。また、図９に示す画面では、全データの時間（つまり、選択された録画データの再生時間）に対して、正常再生可能と判定された時間の割合、つまり、問題なく再生できる画像の再生時間の割合も表示している。
【００８３】
このように、録画番組の再生前に、録画状態、つまり、再生できるか、ノイズが入っているか等を検出し、その検出結果を画面上に表示させることで、録画番組の視聴開始前に、録画番組の状態、再生できない、ノイズが発生する時間帯の有無を認識することができる。これにより、実際に視聴（再生）を開始してから、再生できないため全てを視聴できない、ノイズが入って好適な視聴ができない等に気づくことを防止でき、操作者が無駄な時間を使うことを抑制することができる。また、視聴できない部分を把握できるため、適切に視聴できる時間帯だけ選択して視聴することも可能となる。
【００８４】
なお、上記実施形態では、有効データが９５％〜１００％のときを「正常再生可能」とし、有効データが７０％〜９５％のときを「ノイズが入る」とし、有効データが７０％未満のときを「正常再生不可」としたが、これらの数値範囲は一例であり、使用者の好み、機器の設定によって適宜設定すればよい。
【００８５】
なお、上記実施形態では、説明の簡略化のために、各例を個別に説明したが、それぞれの実施形態の処理を組み合わせてもよいことは言うまでもない。例えば、予約録画時は、図４−１及び図４−２の処理を行い、再生時は、図８の処理を行うようにしてもよい。
【産業上の利用可能性】
【００８６】
以上のように、本発明にかかる携帯録画装置及び録画環境通知方法は、テレビ放送を表示する機能と受信したテレビ放送を録画する機能とを有する装置、方法に用いることに有用である。
【符号の説明】
【００８７】
１  携帯電子機器
１Ｃ  筐体
１ＣＡ  第１筐体
１ＣＢ  第２筐体
２Ｍ  メインディスプレイ
３  操作キー
４  方向及び決定キー
５  マイク
６  レシーバ
１８  ヒンジ
２２  主制御部（ＣＰＵ）
２４  記憶部（メモリ）
２６  通信部
２８  操作部
２９  入力データ取得部
３０  音声処理部
３２  表示部
３３  表示制御部
３６  ワンセグ受信部
３８  ＧＰＳ受信部
５２  感度検出タスク
５４  判定タスク
５６  報知タスク
５８  ナビゲーションタスク
６０  天候情報取得タスク
【図１】
0005529454.tif 000002
【図２】
0005529454.tif 000003
【図３】
0005529454.tif 000004
【図４−１】
0005529454.tif 000005
【図４−２】
0005529454.tif 000006
【図５−１】
0005529454.tif 000007
【図５−２】
0005529454.tif 000008
【図６】
0005529454.tif 000009
【図７】
0005529454.tif 000010
【図８】
0005529454.tif 000011
【図９】
0005529454.tif 000012